(57)【要約】【課題】チップレシーバを側面刈込作業用のカバーとしても利用可能な刈込機の提供。【解決手段】本体１にエンジンやモータ等の原動機及びカム機構を内蔵する。前記カム機構により上刃２及び下刃３が１８０°異なる位相で前後に往復動され、枝葉等の対象物の刈込作業が可能となる。ブレードガイド４には、カバー５が着脱自在に装着される。カバー５は、上面刈込作業の際に刈り込まれた対象物を収容するチップレシーバとして装着することもでき、側面刈込作業の際に刈り込まれた対象物が使用者側に飛散することを防止する側面刈込作業用のカバーとして装着することもできる。【選択図】図１
2015208277.tif 000002
【特許請求の範囲】
【請求項１】
第１及び第２のブレードの相対的な往復動により対象物を刈り込む刈込機であって、
前記第１及び第２のブレードを支持するブレードガイドと、
前記ブレードガイドに着脱自在に装着されるカバーとを備え、
前記ブレードガイドに対する前記カバーの装着状態が複数種類あり、
前記カバーは、第１の装着状態では、前記第１及び第２のブレードの一方の面を当該一方の面から所定距離離間して覆い、第２の装着状態では、上面刈込作業の際に刈り込まれた対象物を収容するチップレシーバとなる、刈込機。
【請求項２】
前記カバーは、前記第１の装着状態において、前記第１及び第２のブレードの幅方向両外側に延在する、請求項１に記載の刈込機。
【請求項３】
前記カバーは、前記第１の装着状態では、幅方向中央付近にて前記ブレードガイドに支持され、前記第２の装着状態では、左右両端部近傍にて支持される、請求項１又は２に記載の刈込機。
【請求項４】
前記カバーは、前記ブレードガイドに反転して装着可能である、請求項１から３のいずれか一項に記載の刈込機。
【請求項５】
前記ブレードガイドに取り付けられたベースと、前記ベースから立ち上がる柱状部とを備え、前記柱状部が前記カバーを支持する、請求項１から４のいずれか一項に記載の刈込機。
【請求項６】
前記柱状部は、前記ベースに対して長手方向の複数の位置のいずれかに選択的に取付け可能である、請求項５に記載の刈込機。
【請求項７】
前記カバーの複数の位置のいずれかに選択的に取付け可能で前記柱状部と係合するアジャストプレートを備える、請求項５又は６に記載の刈込機。
【請求項８】
前記第１の装着状態における、前記第１及び第２のブレードの前記一方の面からの前記カバーの離間距離が変更可能である、請求項１から７のいずれか一項に記載の刈込機。
【発明の詳細な説明】
【技術分野】
【０００１】
本発明は、ヘッジトリマや植木バリカンとも呼ばれる刈込機に関する。
【背景技術】
【０００２】
相互に近接して支持された上刃と下刃の相対的な往復動により枝葉等の対象物を刈り込む刈込機が従来から知られている。刈込機では、エンジンやモータ等の原動機に接続されたカム機構が、ブレードガイドに支持された上刃と下刃を相対的に往復動させる。ブレードガイドには、上面刈込作業の際に刈り込まれた対象物を収容するチップレシーバを取り付けることができる（特許文献１）。また、庭木バリカンに関し、上刃と下刃の上方に隙間を介してカバーを設け、側面刈込作業の際に刈り込まれた対象物が使用者側に飛散することを防止することが提案されている。
【先行技術文献】
【特許文献】
【０００３】
【特許文献１】特開平１１−２６２３３０号公報
【発明の概要】
【発明が解決しようとする課題】
【０００４】
しかしながら、チップレシーバと側面刈込作業用のカバーが別部品となってしまうと、両方が必要な使用者は２つの部品を別々に持っていなければならず、交換作業や保管が面倒であるという問題があった。
【０００５】
本発明はこうした状況を認識してなされたものであり、その目的は、チップレシーバを側面刈込作業用のカバーとしても利用可能な刈込機を提供することにある。
【課題を解決するための手段】
【０００６】
本発明のある態様は、刈込機である。この刈込機は、
第１及び第２のブレードの相対的な往復動により対象物を刈り込む刈込機であって、
前記第１及び第２のブレードを支持するブレードガイドと、
前記ブレードガイドに着脱自在に装着されるカバーとを備え、
前記ブレードガイドに対する前記カバーの装着状態が複数種類あり、
前記カバーは、第１の装着状態では、前記第１及び第２のブレードの一方の面を当該一方の面から所定距離離間して覆い、第２の装着状態では、上面刈込作業の際に刈り込まれた対象物を収容するチップレシーバとなる。
【０００７】
前記カバーは、前記第１の装着状態において、前記第１及び第２のブレードの幅方向両外側に延在してもよい。
【０００８】
前記カバーは、前記第１の装着状態では、幅方向中央付近にて前記ブレードガイドに支持され、前記第２の装着状態では、左右両端部近傍にて支持されてもよい。
【０００９】
前記カバーは、前記ブレードガイドに反転して装着可能であってもよい。
【００１０】
前記ブレードガイドに取り付けられたベースと、前記ベースから立ち上がる柱状部とを備え、前記柱状部が前記カバーを支持してもよい。
【００１１】
前記柱状部は、前記ベースに対して長手方向の複数の位置のいずれかに選択的に取付け可能であってもよい。
【００１２】
前記カバーの複数の位置のいずれかに選択的に取付け可能で前記柱状部と係合するアジャストプレートを備えてもよい。
【００１３】
前記第１の装着状態における、前記第１及び第２のブレードの前記一方の面からの前記カバーの離間距離が変更可能であってもよい。
【００１４】
なお、以上の構成要素の任意の組合せ、本発明の表現を方法やシステムなどの間で変換したものもまた、本発明の態様として有効である。
【発明の効果】
【００１５】
本発明によれば、チップレシーバを側面刈込作業用のカバーとしても利用可能な刈込機を提供することができる。
【図面の簡単な説明】
【００１６】
【図１】本発明の実施の形態に係る刈込機の要部分解斜視図。
【図２】前記刈込機の、カバー５をチップレシーバとして装着した状態の斜視図。
【図３】同正面図。
【図４】前記刈込機の、カバー５を側面刈込作業用のカバーとして高い位置に装着した状態の斜視図。
【図５】同側面図。
【図６】同正面図。
【図７】前記刈込機の、カバー５を側面刈込作業用のカバーとして低い位置に装着した状態の斜視図。
【図８】同側面図。
【図９】図４においてカバー５を上下反転して装着した状態の前記刈込機の斜視図。
【図１０】同側面図。
【図１１】図４と比較して上刃２、下刃３、及びブレードガイド４が長い場合のカバー５の装着状態を示す斜視図。
【図１２】同側面図。
【発明を実施するための形態】
【００１７】
以下、図面を参照しながら本発明の好適な実施の形態を詳述する。なお、各図面に示される同一または同等の構成要素、部材等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００１８】
図１は、本発明の実施の形態に係る刈込機の要部分解斜視図である。図２は、前記刈込機の、カバー５をチップレシーバとして装着した状態の斜視図である。図３は、同正面図である。本実施の形態の刈込機は、本体１と、第１のブレードとしての上刃２と、第２のブレードとしての下刃３と、ブレードガイド４と、カバー５とを備える。
【００１９】
本実施の形態の刈込機は、ヘッジトリマであり、本体１にエンジンやモータ等の原動機及びカム機構を内蔵する。本体１には、メインハンドル（リヤハンドル）１ａ及びサブハンドル（フロントハンドル）１ｂが設けられる。メインハンドル１ａには、使用者が操作するトリガスイッチ１ｃが設けられる。飛散防護カバー１ｄは、本体１の前端部に立設され、刈り込まれた対象物が使用者側に飛散することを防止する。本体１の下部には、ブレード組が取り付けられる。ブレード組は、上刃２及び下刃３、並びにブレードガイド４を有し、本体１から前方に延出する。上刃２及び下刃３は、ブレードガイド４により相互に近接しかつ摺動可能に支持され、かつ基端部が前記カム機構に係合する。前記カム機構は前記原動機に接続されており、使用者がトリガスイッチ１ｃを操作すると、前記原動機の回転により前記カム機構が駆動され、前記カム機構により上刃２及び下刃３が例えば１８０°異なる位相で前後に往復動され、枝葉等の対象物の刈込作業が可能となる。ブレードガイド４には、カバー５が着脱自在に装着される。カバー５は、後述のように、上面刈込作業の際に刈り込まれた対象物を収容するチップレシーバとして装着することもでき、側面刈込作業の際に刈り込まれた対象物が使用者側に飛散することを防止する側面刈込作業用のカバーとして装着することもできる。
【００２０】
本実施の形態の刈込機における、カバー５及びそれをブレードガイド４に装着するための部品群（以下「カバーユニット」とも表記）について詳細に説明する。カバーユニットは、カバー５と、ベース６と、互いに同形状の２つの柱状部材７と、互いに同形状の２つのアジャストプレート８とを有する。なお、柱状部材７及びアジャストプレート８の個数は、図示の例に限定されず任意である。カバー５、ベース６、柱状部材７、及びアジャストプレート８は、いずれも例えば樹脂成形体である。
【００２１】
ベース６は、ブレードガイド４に沿う断面コの字型の板状部材である。ベース６の上面には、２つの長穴６ａ及び４つの丸穴６ｂが形成される。長穴６ａ及び丸穴６ｂは、ブレードガイド４の上面から突出する３本のネジ軸４ａを通すために設けられる。各ネジ軸４ａは、上刃２及び下刃３をブレードガイド４に取り付けるための雄ネジである。３つのノブナット６ｄは、２つの長穴６ａ及び４つの丸穴６ｂのいずれかを貫通したネジ軸４ａに螺合してベース６をブレードガイド４に対して締結する。ベース６の両側面には、７つの係止凸部６ｃがそれぞれ形成される。係止凸部６ｃは、柱状部材７を係止するために設けられる。なお、ネジ軸４ａ、長穴６ａ、丸穴６ｂ、係止凸部６ｃ、及びノブナット６ｄの個数は、図示の例に限定されず任意である。
【００２２】
柱状部材７は、二叉に分かれて上方に延び、二叉部の内側両面に係止凹部７ａをそれぞれ有する。係止凹部７ａは、上下方向に複数（図示の例では４つ）設けられる。係止凹部７ａは、アジャストプレート８を係止するために設けられる。柱状部材７の両足部には、係止爪部７ｂがそれぞれ設けられる。係止爪部７ｂがベース６の任意の係止凸部６ｃと係合することで、柱状部材７がベース６に取り付けられる（係止される）。なお、図１では一方の柱状部材７と他方の柱状部材７は前後の向きが互いに逆になっている。
【００２３】
カバー５は、断面Ｌ字状の板状部５ａを有する。板状部５ａは、ノブナット６ｄを通すためのナット挿通穴５ｂを有する。ナット挿通穴５ｂは、板状部５ａの左右両端部近傍においてそれぞれ前後方向に複数連なって設けられる。板状部５ａは、柱状部材７を通すための柱挿通穴５ｃを有する。柱挿通穴５ｃは、板状部５ａの左右両端部近傍及び中央部（折曲げ部）においてそれぞれ前後複数箇所（図示の例では３箇所）に設けられる。左右両端部の柱挿通穴５ｃは、カバー５をチップレシーバとして装着する際に使用される。中央部の柱挿通穴５ｃは、カバー５を側面刈込作業用のカバーとして装着する際に使用される。板状部５ａには、アジャストプレート８をネジ止めするためのネジ受けボス５ｄが立設される。ネジ受けボス５ｄは、板状部５ａの左右両側においてそれぞれ前後複数箇所（図示の例では４箇所）に設けられる。
【００２４】
アジャストプレート８は、三角板状であり、一方の面に凸条８ａ,８ｂを有する。凸条８ａは、アジャストプレート８を二等分する線に沿って設けられる。凸条８ａの両側壁中央部には、それぞれ係止凸部８ｃが設けられる。係止凸部８ｃは、カバー５を側面刈込作業用のカバーとして装着する際に、柱状部材７の係止凹部７ａと係合する。凸条８ｂは、アジャストプレート８の両側端部にそれぞれ設けられる。凸条８ｂの端部には係止凸部８ｄが設けられる。係止凸部８ｄは、カバー５をチップレシーバとして装着する際に、柱状部材７の係止凹部７ａと係合する。アジャストプレート８には、ネジ挿通用の切欠を有するネジ挿通片部８ｅが設けられる。ネジ挿通片部８ｅは、アジャストプレート８の前後両面においてそれぞれ左右２箇所ずつに設けられる。アジャストプレート８には、各ネジ挿通片部８ｅに隣接して、貫通穴８ｆが設けられる。貫通穴８ｆは、Ｌ字スペーサ８ｇを通すために設けられる。Ｌ字スペーサ８ｇは、手前のアジャストプレート８に対して２つ設けられる。Ｌ字スペーサ８ｇは、貫通穴８ｆに挿通される長辺部にネジ挿通孔８ｈを有する。Ｌ字スペーサ８ｇの短辺部の厚さとアジャストプレート８の厚さの合計が、手前側２つのネジ受けボス５ｄ間の隙間と略一致する。Ｌ字スペーサ８ｇの長辺部は、貫通穴８ｆに対して前後いずれから挿通してもよく、挿通方向を変えることで、Ｌ字スペーサ８ｇの短辺部の厚さの分だけアジャストプレート８の前後位置を変更できる。なお、手前から３個目のネジ受けボス５ｄを利用してアジャストプレート８を取り付ける際は、Ｌ字スペーサ８ｇは使用しない。ネジ８ｉは、アジャストプレート８をカバー５に取り付けるための締結具であり、１つのアジャストプレート８に対してネジ８ｉが２つ設けられる。各ネジ８ｉは、各ネジ挿通片部８ｅの切欠、及び必要に応じてＬ字スペーサ８ｇのネジ挿通孔８ｈを貫通し、所定のネジ受けボス５ｄに螺着される。これによりアジャストプレート８がカバー５に対して固定される。なお、図１では一方のアジャストプレート８と他方のアジャストプレート８は前後の向きが互いに逆になっている。
【００２５】
カバー５をチップレシーバとして装着する場合、アジャストプレート８を取り付けたカバー５の左右いずれかの端部近傍の柱挿通穴５ｃ（３個のうちの２個）に、ベース６に取り付けた２つの柱状部材７を通していく。すると、アジャストプレート８の凸条８ｂが柱状部材７の二叉部の内側に入っていき、凸条８ｂの係止凸部８ｄが柱状部材７の係止凹部７ａと係合する。ここでは、係止凸部８ｄが最下段の係止凹部７ａと係合するまでカバー５を下降させる。各ノブナット６ｄは、カバー５の所定のナット挿通穴５ｂ内に収まる。なお、カバー５は面対称形状であり、反対側の端部近傍の柱挿通穴５ｃを利用することで、カバー５の左右位置を図２の例に対して反転させることができる。
【００２６】
図４は、実施の形態の刈込機の、カバー５を側面刈込作業用のカバーとして高い位置に装着した状態の斜視図である。図５は、同側面図である。図６は、同正面図である。図７は、前記刈込機の、カバー５を側面刈込作業用のカバーとして低い位置に装着した状態の斜視図である。図８は、同側面図である。カバー５を側面刈込作業用のカバーとして装着する場合、カバー５が上方に凸となるようにして、２つのアジャストプレート８の凸条８ａを、ベース６に取り付けた２つの柱状部材７の二叉部の内側に通していく。すると、凸条８ａに設けられた係止凸部８ｃが、柱状部材７の係止凹部７ａと係合する。図４及び図５の例では、係止凸部８ｃが最上段の係止凹部７ａと係合したところで装着を完了している。一方、図７及び図８の例では、係止凸部８ｃが最下段の係止凹部７ａと係合したところで装着を完了している。また、係止凸部８ｃが中段の係止凹部７ａと係合したところで装着を完了してもよい。係止凸部８ｃをどの高さの係止凹部７ａと係合した状態にするかにより、カバー５の装着高さを使用者が任意に選択できる。なお、図９及び図１０に示すように、カバー５は、反転して下方に凸となるように装着してもよい。下方が凸の場合も、上方が凸の場合と同様にカバー５の装着高さを使用者が任意に選択できる。また、この場合、例えば図４及び図５の例と係止凸部８ｃと係止凹部７ａとの係合位置が同じであっても、カバー５とブレード組との間隔をより広くすることが可能となる。カバー５を側面刈込作業用のカバーとする場合、図６に示すように、カバー５は、幅方向中央付近にてブレードガイド４に支持され、上刃２及び下刃３の上面（表面）を所定距離離間して覆い、かつ上刃２及び下刃３の幅方向両外側に延在する。カバー５は、好ましくは透明とし、そうすることでカバー５越しに枝葉等の対象物及び上刃２及び下刃３を確認できる。
【００２７】
図１１は、図４と比較して上刃２、下刃３、及びブレードガイド４（ブレード組）が長い場合のカバー５の装着状態を示す斜視図である。図１２は、同側面図である。これらの図の例では、ブレード組が長くなったのに対応し、図４と比較して、ベース６の装着位置を前方にし、手前側の柱状部材７のベース６に対する装着位置を変え、手前側のアジャストプレート８のカバー５に対する装着位置を変えている。これにより、ブレード組が長くなっても、ブレード組の先端がカバー５よりも前方に突出しないようにカバー５を装着できる。また、チップレシーバとして使用する場合において、ブレード組の先端付近での作業において枝葉を捕集することが可能となる。
【００２８】
本実施の形態によれば、下記の効果を奏することができる。
【００２９】
(1) カバー５は、装着状態により、上面刈込作業の際に刈り込まれた対象物を収容するチップレシーバにもなり、側面刈込作業の際に刈り込まれた対象物が使用者側に飛散することを防止する側面刈込作業用のカバーにもなるため、使用者はチップレシーバと側面刈込作業用のカバーを別々に持っておく必要がなく、交換作業や保管の手間が低減される。
【００３０】
(2) カバー５を側面刈込作業用のカバーとする場合、カバー５は刈込み深さの目安として利用できる。ここで、カバー５の装着高さを使用者が任意に選択できるため、同じカバー５を用いながら刈込み深さの目安となる寸法（上刃２及び下刃３の存在平面に対するカバー５の左右両縁の高さ）を変更することができる。このため、刈込み深さの目安となる寸法を変更するために異なる形状のカバーを準備する必要がなく、便利である。
【００３１】
(3) カバー５を側面刈込作業用のカバーとする場合、カバー５が上刃２及び下刃３の幅方向両外側に延在するため、電源コード等（刈込対象物以外の物）が接近しても、まずカバー５の縁部に当たる。このため、電源コード等の誤切断の可能性が低減される。
【００３２】
(4) 図７及び図８に示すようにカバー５を最下段に装着した場合、カバー５の左右両端部が上刃２及び下刃３の存在平面に近接して上刃２及び下刃３を覆うため、カバー５を作業中断時や近距離移動時の簡易的な刈刃ケースとして利用することができる。
【００３３】
以上、実施の形態を例に本発明を説明したが、実施の形態の各構成要素や各処理プロセスには請求項に記載の範囲で種々の変形が可能であることは当業者に理解されるところである。
【符号の説明】
【００３４】
１  本体、１ａ  メインハンドル（リヤハンドル）、１ｂ  サブハンドル（フロントハンドル）、１ｃ  トリガスイッチ、１ｄ  飛散防護カバー、２  上刃、３  下刃、４  ブレードガイド、４ａ  ネジ軸、５  カバー、５ａ  板状部、５ｂ  ナット挿通穴、５ｃ  柱挿通穴、５ｄ  ネジ受けボス、６  ベース、６ａ  長穴、６ｂ  丸穴、６ｃ  係止凸部、６ｄ  ノブナット、７  柱状部材、７ａ  係止凹部、７ｂ  係止爪部、８  アジャストプレート、８ａ,８ｂ  凸条、８ｃ  係止凸部、８ｄ  係止凸部、８ｅ  ネジ挿通片部、８ｆ  貫通穴、８ｇ  Ｌ字スペーサ、８ｈ  ネジ挿通孔、８ｉ  ネジ
【図１】
2015208277.tif 000003
【図２】
2015208277.tif 000004
【図３】
2015208277.tif 000005
【図４】
2015208277.tif 000006
【図５】
2015208277.tif 000007
【図６】
2015208277.tif 000008
【図７】
2015208277.tif 000009
【図８】
2015208277.tif 000010
【図９】
2015208277.tif 000011
【図１０】
2015208277.tif 000012
【図１１】
2015208277.tif 000013
【図１２】
2015208277.tif 000014